(57)【要約】【課題】装着した電池パックの風窓からの異物の侵入を従来と比較して効果的に抑制することの可能な電動工具を提供する。【解決手段】ハウジング１０は、装着した電池パック２０の風窓２２を覆うように延びる保護部１３を有する。保護部１３は弾性体１４によって被覆されている。弾性体１４はハウジング１０と一体成形される。弾性体１４の電池接触部１４ａは、保護部１３の電池パック２０側の面に設けられる。電池接触部１４ａは、装着した電池パック２０の風窓２２から電池パック２０内に粉塵や切粉等の異物が侵入するのを防止するように、電池パック２０の風窓形成面に接触する。【選択図】図４
2016101623.tif 000002
【特許請求の範囲】
【請求項１】
電池パックを着脱可能に装着するハウジングを備え、
前記ハウジングは、装着した電池パックの風窓を覆うように延びる保護部を有し、
前記保護部は、前記電池パックの風窓からの異物の侵入を防止するように前記電池パックに接触する弾性体を有する、電動工具。
【請求項２】
前記弾性体が気密性を有する材質からなる、請求項１に記載の電動工具。
【請求項３】
前記弾性体が、装着した電池パックに圧縮され前記電池パックのがたつきを防止する、請求項１又は２に記載の電動工具。
【請求項４】
前記保護部は、前記電池パックと反対側の面に弾性体を有する、請求項１から３のいずれか一項に記載の電動工具。
【請求項５】
電池パックを着脱可能に装着するハウジングを備え、
前記ハウジングは、装着した電池パックの風窓を覆うように延びる保護部を有し、
前記保護部は、前記電池パックと反対側の面に弾性体を有する、電動工具。
【請求項６】
前記保護部は、前記電池パックの風窓からの異物の侵入を防止するように前記電池パックに接触する弾性体を有する、請求項５に記載の電動工具。
【請求項７】
前記ハウジングのハンドル部に弾性体が設けられ、前記保護部の前記電池パックと反対側の面に設けられた弾性体が、前記ハンドル部に設けられた弾性体より厚い、請求項４から６のいずれか一項に記載の電動工具。
【請求項８】
前記弾性体が前記ハウジングと一体成形されている、請求項１から７のいずれか一項に記載の電動工具。
【請求項９】
前記ハウジングのハンドル部に弾性体が設けられ、前記保護部の弾性体と前記ハンドル部の弾性体が同時成形されている、請求項８に記載の電動工具。
【請求項１０】
前記ハンドル部の弾性体と前記保護部の弾性体が連続している、請求項９に記載の電動工具。
【発明の詳細な説明】
【技術分野】
【０００１】
本発明は、電池パックを着脱可能に装着する電動工具に関する。
【背景技術】
【０００２】
従来より、ハウジングに着脱可能に設けられた電池パックからの供給電力で動作し、様々な作業を行うセーバソーやジグソー等のコードレス電動工具が知られている。下記特許文献１は、大きな電力を供給することができるリチウムイオン電池を使用する電動工具において、過放電又は過電流状態を防止する保護手段を冷却ファンが発生する冷却風の通路内に配置している。
【０００３】
電池パックは、一般に、充電時の発熱対策のために、冷却風を流す風窓を有している。この風窓は、電動工具で例えば金属板や木材等を切断する作業を行う場合には、材料の切粉や粉塵等の異物が電池パック内に侵入する経路になる。異物の侵入対策のために、装着した電池パックの風窓を覆うように延びる保護部を本体ハウジングに設けた電動工具も存在する。
【先行技術文献】
【特許文献】
【０００４】
【特許文献１】特開２００８−１７３７１２号公報
【発明の概要】
【発明が解決しようとする課題】
【０００５】
電池パックと本体ハウジングとの間には、余裕を持って装着できるように、装着状態でも多少の隙間が残るように設計されているのが通常である。そのため、電池パックの風窓と本体ハウジングの保護部との間にも隙間が残ることになる。よって、従来の保護部の構成では、作業時における風窓からの異物の侵入を防止する効果が十分でなかった。
【０００６】
一方、保護部は、電池パックを装着していないときは突出状態となるため、電動工具を誤って落下させた場合に破損しやすいという問題があった。
【０００７】
本発明はこうした状況を認識してなされたものであり、その第１の目的は、装着した電池パックの風窓からの異物の侵入を従来と比較して効果的に抑制することの可能な電動工具を提供することにある。
【０００８】
本発明の第２の目的は、装着した電池パックの風窓を覆うように延びる保護部の破損を抑制することの可能な電動工具を提供することにある。
【課題を解決するための手段】
【０００９】
本発明の第１の態様は、電動工具である。この電動工具は、
電池パックを着脱可能に装着するハウジングを備え、
前記ハウジングは、装着した電池パックの風窓を覆うように延びる保護部を有し、
前記保護部は、前記電池パックの風窓からの異物の侵入を防止するように前記電池パックに接触する弾性体を有する。
【００１０】
前記弾性体が気密性を有する材質からなってもよい。
【００１１】
前記弾性体が、装着した電池パックに圧縮され前記電池パックのがたつきを防止してもよい。
【００１２】
前記保護部は、前記電池パックと反対側の面に弾性体を有してもよい。
【００１３】
本発明の第２の態様は、電動工具である。この電動工具は、
電池パックを着脱可能に装着するハウジングを備え、
前記ハウジングは、装着した電池パックの風窓を覆うように延びる保護部を有し、
前記保護部は、前記電池パックと反対側の面に弾性体を有する。
【００１４】
前記保護部は、前記電池パックの風窓からの異物の侵入を防止するように前記電池パックに接触する弾性体を有してもよい。
【００１５】
前記ハウジングのハンドル部に弾性体が設けられ、前記保護部の前記電池パックと反対側の面に設けられた弾性体が、前記ハンドル部に設けられた弾性体より厚くてもよい。
【００１６】
前記弾性体が前記ハウジングと一体成形されていてもよい。
【００１７】
前記ハウジングのハンドル部に弾性体が設けられ、前記保護部の弾性体と前記ハンドル部の弾性体が同時成形されていてもよい。
【００１８】
前記ハンドル部の弾性体と前記保護部の弾性体が連続していてもよい。
【００１９】
なお、以上の構成要素の任意の組合せ、本発明の表現を方法やシステムなどの間で変換したものもまた、本発明の態様として有効である。
【発明の効果】
【００２０】
本発明の第１の態様によれば、装着した電池パックの風窓からの異物の侵入を従来と比較して効果的に抑制することの可能な電動工具を提供することができる。
【００２１】
本発明の第２の態様によれば、装着した電池パックの風窓を覆うように延びる保護部の破損を抑制することの可能な電動工具を提供することができる。
【図面の簡単な説明】
【００２２】
【図１】本発明の実施の形態に係る電動工具１の側面図。
【図２】図１の電池パック２０の三面図。
【図３】電池パック２０を取り外した状態における図１の要部断面図。
【図４】電池パック２０を装着した状態における図１の要部断面図。
【図５】比較例に係る電動工具の、電池パック２０を装着した状態における要部断面図。
【図６】本発明の別の実施の形態に係る電動工具２の側面図。
【図７】本発明のさらに別の実施の形態に係る電動工具３の側面図。
【発明を実施するための形態】
【００２３】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２４】
図１は、本発明の実施の形態に係る電動工具１の側面図である。図２は、図１の電池パック（バッテリ）２０の三面図である。図３は、電池パック２０を取り外した状態における図１の要部断面図である。図４は、電池パック２０を装着した状態における図１の要部断面図である。
【００２５】
電動工具１は、セーバソーであり、ハウジング１０と、電池パック２０と、ブレード（鋸刃）３０とを備える。ハウジング１０は、硬質の例えば樹脂成形体であり、電池パック２０を着脱可能に装着する。ハウジング１０のハンドル部１１に設けられたトリガスイッチ１２を使用者が操作すると、電池パック２０からの供給電力により、ハウジング１０に内蔵された不図示のモータが回転駆動され、ハウジング１０に内蔵された不図示のカム機構等の機械要素により前記モータの回転がブレード３０の往復動に変換される。往復動するブレード３０により、木材や金属の切断作業が可能である。
【００２６】
図２に示すように、電池パック２０は、ケース２１の一つの面、ここでは装着時のスライド方向の前面に、風窓２２を有する。風窓２２は、図示の例では６個に分かれて設けられ、充電時の空気流通口となる。ケース２１の左右両面にはそれぞれ、装着時のスライドガイドとなるレール部２３と、ハウジング１０のラッチ凹部１５（図３）と係合して電池パック２０をハウジング１０に係止するラッチ凸部２４と、取外し時にラッチ凸部２４を一時的に引っ込めるラッチ操作部２５とが設けられる。電池パック２０をハウジング１０に装着すると、電池パック２０と電動工具１本体の端子同士が接触し、電力供給が可能となる。
【００２７】
図３及び図４に示すように、ハウジング１０は、装着した電池パック２０の風窓２２を覆うように延びる保護部１３を有する。保護部１３は、弾性体１４によって被覆されている。弾性体１４は、好ましくは、エラストマ（例えば熱可塑性エラストマ）等の気密性を有する材質からなり、ハウジング１０と一体成形されたものである。弾性体１４は、電池接触部１４ａ、反電池側圧肉部１４ｂ、及びハンドル被覆部１４ｃを含み、それらは好ましくは同時成形され、図示の例では連続している。
【００２８】
弾性体１４の電池接触部１４ａは、保護部１３の電池パック２０側の面に、図示の例では全面的に設けられる。電池接触部１４ａは、装着した電池パック２０の風窓２２から電池パック２０内に粉塵や切粉等の異物が侵入するのを防止するように、電池パック２０の風窓形成面に接触（密着）する。なお、電池接触部１４ａは、風窓２２を塞ぐように前記風窓形成面に面接触してもよいし、風窓２２の少なくとも保護部１３先端側及び側端側を囲むように前記風窓形成面に線状に接触してもよい。電池接触部１４ａは、好ましくは装着した電池パック２０に圧縮され、電池パック２０のがたつきを防止する。
【００２９】
弾性体１４の反電池側圧肉部１４ｂは、保護部１３の電池パック２０と反対側の面から保護部１３の先端及び両側端にかけて、図示の例では全面的に設けられる。反電池側圧肉部１４ｂは、電動工具１の落下時に保護部１３の破損を防止する役割を持つ。すなわち、電池パック２０を装着していないときは保護部１３は突出状態となり、電動工具１の落下時には保護部１３の電池パック２０と反対側の面あるいは先端が床面や地面と衝突して保護部１３が破損しやすいところ、本実施の形態では、反電池側圧肉部１４ｂを設けることで、電動工具１の落下による保護部１３の破損を抑制している。反電池側圧肉部１４ｂは、このような破損抑制の観点から好ましくは、主に滑り止めとして機能するハンドル被覆部１４ｃよりも厚く形成される。
【００３０】
図５は、比較例に係る電動工具の、電池パック２０を装着した状態における要部断面図である。この電動工具は、ハンドル部１１を被覆する弾性体８１４（図３及び図４のハンドル被覆部１４ｃに対応）を有するものの、保護部１３は弾性体に被覆されず露出している。この場合、保護部１３は、電池パック２０の風窓形成面を覆うものの、保護部１３と前記風窓形成面との間に隙間１９があり、隙間１９を通って風窓２２から電池パック２０内に粉塵や切粉等の異物が侵入する恐れがある。また、電池パック２０を装着していないときに電動工具が落下した際には、硬質の保護部１３が床面や地面に直接衝突するため、保護部１３が破損しやすい。
【００３１】
これに対し本実施の形態では、弾性体１４の電池側接触部１４ａが電池パック２０の風窓形成面に接触（弾接）するため、図５に示す隙間１９を無くすことができ、電池パック２０の風窓２２から電池パック２０内に粉塵や切粉等の異物が侵入することを効果的に抑制することができる。また、電池パック２０を装着していないときに電動工具１が落下しても、弾性体１４の反電池側圧肉部１４ｂが緩衝材として機能し硬質の保護部１３が床面や地面に直接衝突することを防止するため、保護部１３の破損を抑制することができる。
【００３２】
本実施の形態によれば、下記の効果を奏することができる。
【００３３】
(1) 保護部１３の電池パック２０側の面に設けられた弾性体１４（電池側接触部１４ａ）が電池パック２０の風窓形成面に接触するため、風窓２２から電池パック２０内に粉塵や切粉等の異物が侵入することを抑制できる。
【００３４】
(2) 保護部１３の電池パック２０と反対側の面から保護部１３の先端及び両側端にかけて設けられた弾性体１４（反電池側圧肉部１４ｂ）が、電池パック２０を装着していないときに電動工具１が落下した際に保護部１３と床面や地面との直接衝突を防止するため、保護部１３の破損を抑制することができる。
【００３５】
(3) 弾性体１４はハウジング１０と一体成形されるため、事後的にハウジング１０に弾性体を接着等する場合と比較して製造工程が簡略である。また、弾性体１４のうち保護部１３を被覆する電池側接触部１４ａ及び反電池側圧肉部１４ｂは、通常ハンドル部１１に設けられるグリップ部（ハンドル被覆部１４ｃ）と同時成形されるため、保護部１３の被覆のために別途工程を追加する必要がない。
【００３６】
(4) 弾性体１４は気密性を有する材質からなるため、スポンジのように通気性のある材質のものと比較して、異物侵入防止効果が高い。
【００３７】
(5) 弾性体１４の電池側接触部１４ａが、装着した電池パック２０によって圧縮されるため、電池パック２０のがたつきを抑制することができる。また、これにより電池パック２０と電動工具１本体の端子間でチャタリングが発生することを抑制できる。
【００３８】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３９】
電動工具は、実施の形態で例示したセーバソーに限定されず、作業時に粉塵や切粉等が発生し得る他の種類のコードレス電動工具であってもよい。図６に示す電動工具２はジグソーであり、図７に示す電動工具３は丸鋸である。電動工具２,３は共に、上述の実施の形態で例示した電動工具１（セーバソー）と同様に、ハウジング１０の保護部１３に弾性体１４を有し、上述の実施の形態と同様の効果を奏することができる。
【００４０】
弾性体１４は、ハンドル被覆部１４ｃが電池接触部１４ａ及び反電池側圧肉部１４ｂから分離されていてもよい（連続でなくてもよい）。この場合も、電池接触部１４ａ及び反電池側圧肉部１４ｂは、ハンドル被覆部１４ｃと同時成形されたものであるとよい。
【符号の説明】
【００４１】
１〜３  電動工具、１０  ハウジング、１１  ハンドル部、１２  トリガスイッチ、１３  保護部、１４  弾性体、１４ａ  電池接触部、１４ｂ  反電池側圧肉部、１４ｃ  ハンドル被覆部、１５  ラッチ凹部、１９  隙間、２０  電池パック（バッテリ）、２１  ケース、２２  風窓、２３  レール部、２４  ラッチ凸部、２５  ラッチ操作部、３０  ブレード（鋸刃）
【図１】
2016101623.tif 000003
【図２】
2016101623.tif 000004
【図３】
2016101623.tif 000005
【図４】
2016101623.tif 000006
【図５】
2016101623.tif 000007
【図６】
2016101623.tif 000008
【図７】
2016101623.tif 000009